(57)【要約】【課題】本発明は、溶接ワイヤ３を挿通させる作業が簡略化された溶接ワイヤ送給装置２１を提供する。【解決手段】本発明の溶接ワイヤ送給装置２１は、第１の送給ロール１１ａと第１の加圧ロール１３ａとの間及び第２の送給ロール１１ｂと第２の加圧ロール１３ｂとの間で溶接ワイヤ３を挟んで送給する。第１の送給ロール１１ａ及び第１の加圧ロール１３ａと第２の送給ロール１１ｂ及び第２の加圧ロール１３ｂとの間にワイヤ矯正機構２２が設けられている。このワイヤ矯正機構２２の加圧子２３の下端部が溶接ワイヤ３と接触し、調整ネジ２４によって加圧子２３を上下させる。この結果、従来技術の溶接ワイヤ送給装置１のワイヤ矯正器２とワイヤ送給器８のセンターガイド１７とを共通化することができるので、溶接ワイヤ３を挿通する作業を簡略化することができる。【選択図】図１
2015058453.tif 000002
【特許請求の範囲】
【請求項１】
ワイヤ送給装置本体と、
前記ワイヤ送給装置本体に取り付けられた第１の送給ロールと、
前記ワイヤ送給装置本体に取り付けられた第２の送給ロールと、
前記ワイヤ送給装置本体に取り付けられて、前記第１の送給ロールとの間で溶接ワイヤを挟んで送給する第１の加圧ロールと、
前記ワイヤ送給装置本体に取り付けられて、前記第２の送給ロールとの間で前記溶接ワイヤを挟んで送給する第２の加圧ロールと、
を備えた溶接ワイヤ送給装置において、
前記第１の送給ロール及び前記第１の加圧ロールと前記第２の送給ロール及び前記第２の加圧ロールとの間にワイヤ矯正機構が設けられ、
前記ワイヤ矯正機構が、下端部が前記溶接ワイヤと接触するワイヤ加圧部材と、
前記ワイヤ加圧部材を上下させる加圧部材移動機構とを備えたことを特徴とする溶接ワイヤ送給装置。
【請求項２】
前記ワイヤ加圧部材が、下端部に溶接ワイヤと接触する溝が形成された加圧子であり、
前記加圧部材移動機構が、前記ワイヤ送給装置本体に形成された雌ネジ部と、
前記雌ネジ部にねじ込まれる雄ネジ筒部と、
前記雄ネジ筒部の基端部に取り付けられたつまみ部と、
前記雄ネジ筒部の先端部に回転可能に取り付けられて、先端部に前記加圧子が取り付けられた加圧子用ピンと、
を備えたことを特徴とする請求項１記載の溶接ワイヤ送給装置。
【請求項３】
前記第１の送給ロールと前記第１の加圧ロールとの間に挟まれた前記溶接ワイヤの位置と、前記第２の送給ロールと前記第２の加圧ロールとの間に挟まれた前記溶接ワイヤの位置とが結ぶ直線よりも前記加圧子によって押圧される前記溶接ワイヤの位置が下であることを特徴とする請求項２記載の溶接ワイヤ送給装置。
【発明の詳細な説明】
【技術分野】
【０００１】
本発明は、消耗電極ガスシールドアーク溶接に使用され、溶接ワイヤを送給するための溶接ワイヤ送給装置に関するものである。
【背景技術】
【０００２】
消耗電極ガスシールドアーク溶接において、安定して溶接ワイヤを送給するために溶接ワイヤ送給装置が使用されている。従来、図３に示す溶接ワイヤ送給装置１が提案されていた。図３は、ワイヤ矯正器２が設けられた従来技術の溶接ワイヤ送給装置１を示す図である。同図において、ワイヤリール（図示を省略）に巻かれた溶接ワイヤ３がワイヤ矯正器２に挿入されて、溶接ワイヤ３が第１の受けロール４及び第２の受けロール５と矯正ロール６とで案内される。この矯正ロール６は、第１の受けロール４と第２の受けロール５との中間部下方から押し上げ機７によって溶接ワイヤ３を上方に押圧して、溶接ワイヤ３を矯正して曲り癖を取り除いている。
【０００３】
ワイヤ矯正器２によって矯正された溶接ワイヤ３が、ワイヤ送給器８に挿入されて、ワイヤ送給器８によって溶接ワイヤ３が送り出される。ワイヤ送給器８は、モータ（図示省略）に駆動ギヤー１０が連結されていて、第１の送給ロール１１ａがワイヤ送給器本体９に回転可能に支持されている。第１の送給ロール１１ａには、第１のギヤー１２ａが同軸に取り付けられていて、第１のギヤー１２ａが駆動ギヤー１０と歯合されている。第１の加圧ロール１３ａは、第１の加圧ホルダ１４ａに回転可能に支持されている。第１の加圧ホルダ１４ａの基端部が、ワイヤ送給器本体９に回転可能に支持されている。第１の加圧ホルダ１４ａの先端部に設けられた第１のレバー部１５ａが、第１の加圧ホルダ１４ａに取り付けられた退避バネ（図示を省略）のバネ力で第１の送給ロール１１ａから離れる方向へ押し上げられている。
【０００４】
第１の送給ロール１１ａには、溶接ワイヤ３が挟まれて加圧されて送給されるための溝が形成されている。第１の加圧ハンドル１６ａは、ワイヤ送給器本体９に傾倒可能に支持されていて、第１の加圧ホルダ１４ａの第１のレバー部１５ａに引っ掛けることができる。第１の加圧ハンドル１６ａ内に加圧バネ（図示を省略）が設けられていて、第１の加圧ロール１３ａによって溶接ワイヤ３は第1の送給ロール１１ａの溝に加圧される。センターガイド１７は、第１の送給ロール１１ａ及び後述する第２の送給ロール１１ｂの間に設けられて、インレットガイド１８から挿入された溶接ワイヤ３をガイドし、さらに、溶接ワイヤ３が座屈することを防止している。アウトレットガイド１９は、ワイヤ送給器８の溶接ワイヤ３の送出部に取り付けられていて、溶接ワイヤ３をガイドする。パワーケーブル（図示を省略）がアウトレットガイド１３の先端部に接続されていて、パワーケーブルの先端部に溶接トーチ（図示を省略）が接続されている。
【０００５】
第２の送給ロール１１ｂ、第２のギヤー１２ｂ、第２の加圧ロール１３ｂ、第２の加圧ホルダ１４ｂ、第２のレバー部１５ｂ及び第２の加圧ハンドル１６ｂは、第１の送給ロール１１ａ、第１のギヤー１２ａ、第１の加圧ロール１３ａ、第１の加圧ホルダ１４ａ、第１のレバー部１５ａ及び第１の加圧ハンドル１６ａと同機能であるので、説明を省略する。（例えば、特許文献１参照。）
【０００６】
以下、動作を説明する。溶接作業者は、溶接を行う前の準備作業として、第１の加圧ハンドル１６ａ及び第２の加圧ハンドル１６ｂを下方へ傾倒させて、第１の加圧ハンドル１６ａ及び第２の加圧ハンドル１６ｂと、第１の加圧ホルダ１４ａの第１のレバー部１５ａ及び第２の加圧ホルダ１４ｂの第２のレバー部１５ｂとの引っ掛かりをそれぞれ外す。これによって、第１の加圧ホルダ１４ａに支持された第１の加圧ロール１３ａ及び第２の加圧ホルダ１４ｂに支持された第２の加圧ロール１３ｂが第１の送給ロール１１ａ及び第２の送給ロール１１ｂから離れる方向へそれぞれ押し上げられる。この状態で、ワイヤリール（図示を省略）から送り出された溶接ワイヤ３をワイヤ矯正器２のワイヤ挿入口から挿入して、第１の受けロール４及び第２の受けロール５と矯正ロール６との間を挿通させる。そして、ワイヤ矯正器２のワイヤ送出口から送出された矯正された溶接ワイヤ３をインレットガイド１８に挿通させて、溶接ワイヤ３をセンターガイド１７に挿通させたのちに、溶接ワイヤ３をアウトレットガイド１９に挿通させる。
【０００７】
そして、溶接作業者は、第１の加圧ホルダ１４ａの第１のレバー部１５ａと第２の加圧ホルダ１４ｂの第２のレバー部１５ｂとをそれぞれ押し下げて、第１のレバー部１５ａ及び第２のレバー部１５ｂに、第１の加圧ハンドル１６ａ及び第２の加圧ハンドル１６ｂをそれぞれ引っ掛ける。溶接トーチ（図示を省略）に設けられた起動スイッチをＯＮさせると、ワイヤ送給器８のモータ（図示を省略）によって、第１の送給ロール１１ａ及び第２の送給ロール１１ｂが回転して、第１の送給ロール１１ａ及び第２の送給ロール１１ｂと第２の加圧ロール１３ａ及び第２の加圧ロール１３ｂとによって、溶接ワイヤ３がそれぞれ挟まれて送り出される。アウトレットガイド１３から送り出された溶接ワイヤ３が、パワーケーブル（図示を省略）によって溶接トーチ（図示を省略）までガイドされる。
【先行技術文献】
【特許文献】
【０００８】
【特許文献１】特開２００９−１３１８７３号公報
【発明の概要】
【発明が解決しようとする課題】
【０００９】
上述した従来技術の溶接ワイヤ送給装置１は、ワイヤ矯正器２とワイヤ送給器８とに溶接ワイヤ３を挿通させる必要があり、作業性が悪かった。
【００１０】
本発明は、溶接ワイヤ３を挿通させる作業が簡略化された溶接ワイヤ送給装置を提供することを目的としている。
【課題を解決するための手段】
【００１１】
上述した課題を解決するために、請求項１の発明は、
ワイヤ送給装置本体と、
前記ワイヤ送給装置本体に取り付けられた第１の送給ロールと、
前記ワイヤ送給装置本体に取り付けられた第２の送給ロールと、
前記ワイヤ送給装置本体に取り付けられて、前記第１の送給ロールとの間で溶接ワイヤを挟んで送給する第１の加圧ロールと、
前記ワイヤ送給装置本体に取り付けられて、前記第２の送給ロールとの間で前記溶接ワイヤを挟んで送給する第２の加圧ロールと、
を備えた溶接ワイヤ送給装置において、
前記第１の送給ロール及び前記第１の加圧ロールと前記第２の送給ロール及び前記第２の加圧ロールとの間にワイヤ矯正機構が設けられ、
前記ワイヤ矯正機構が、下端部が前記溶接ワイヤと接触するワイヤ加圧部材と、
前記ワイヤ加圧部材を上下させる加圧部材移動機構とを備えたことを特徴とする溶接ワイヤ送給装置である。
【００１２】
請求項２の発明は、
前記ワイヤ加圧部材が、下端部に溶接ワイヤと接触する溝が形成された加圧子であり、
前記加圧部材移動機構が、前記ワイヤ送給装置本体に形成された雌ネジ部と、
前記雌ネジ部にねじ込まれる雄ネジ筒部と、
前記雄ネジ筒部の基端部に取り付けられたつまみ部と、
前記雄ネジ筒部の先端部に回転可能に取り付けられて、先端部に前記加圧子が取り付けられた加圧子用ピンと、
を備えたことを特徴とする請求項１記載の溶接ワイヤ送給装置である。
【００１３】
請求項３の発明は、
前記第１の送給ロールと前記第１の加圧ロールとの間に挟まれた前記溶接ワイヤの位置と、前記第２の送給ロールと前記第２の加圧ロールとの間に挟まれた前記溶接ワイヤの位置とが結ぶ直線よりも前記加圧子によって押圧される前記溶接ワイヤの位置が下であることを特徴とする請求項２記載の溶接ワイヤ送給装置である。
【発明の効果】
【００１４】
本発明の溶接ワイヤ送給装置は、溶接ワイヤを挿通する作業を簡略化することができる。
【図面の簡単な説明】
【００１５】
【図１】本発明の溶接ワイヤ送給装置２１の平面図及び正面図である。
【図２】図１（Ｂ）に示した本発明の溶接ワイヤ送給装置２１の平面図のＡ−Ａ断面図である。
【図３】ワイヤ矯正器２が設けられた従来技術の溶接ワイヤ送給装置１を示す図である。
【発明を実施するための形態】
【００１６】
発明の実施の形態を実施例に基づき図面を参照して説明する。図１（Ａ）は、本発明の溶接ワイヤ送給装置２１の平面図であり、図１（Ｂ）は、本発明の溶接ワイヤ送給装置２１の正面図であり、図２は、図１（Ｂ）に示した本発明の溶接ワイヤ送給装置２１の平面図のＡ−Ａ断面図である。図１及び図２において、図３に示した従来技術のセンターガイド１７を設ける代わりに、溶接ワイヤ送給装置２１の第１の送給ロール１１ａ及び第１の加圧ロール１３ａと第２の送給ロール１１ｂ及び第２の加圧ロール１３ｂとの間にワイヤ矯正機構２２が設けられている。ワイヤ矯正機構２２のワイヤ加圧部材の下端部が溶接ワイヤ３と接触する。また、加圧部材移動機構がワイヤ加圧部材を上下させる。
【００１７】
このワイヤ矯正機構２２のワイヤ加圧部材は、例えば加圧子２３であり、加圧子２３の下端部に溶接ワイヤ３と接触する溝２３ａが形成されている。この溝２３ａは、溶接ワイヤ３の形状に対応して半円に形成されているが、矩形に形成されても良い。加圧部材移動機構は、例えば、調整ネジ２４と雌ネジ部２８と加圧子用ピン２９とから成る。調整ネジ２４は、雄ネジ筒部２５とつまみ部２６とから成る。雄ネジ筒部２５は、ワイヤ送給装置本体２７に形成された雌ネジ部２８にねじ込まれ、雄ネジ筒部２５の基端部につまみ部２６が固定されている。加圧子用ピン２９の基端部が、雄ネジ筒部２５の先端部に回転可能に取り付けられて、加圧子用ピン２９の先端部に加圧子２３が取り付けられている。加圧子２３は、加圧子用ピン２９の先端部に固定されても良い。
【００１８】
雄ネジ筒部２５の内部は空洞に形成されている。加圧子用ピン２９は軸部２９ａと頭部２９ｂとから成り、加圧子用ピン２９の断面はＴ字形状に形成されている。雄ネジ筒部２５の先端部に加圧子用ピン２９の軸部２９ａが挿通されるピン挿通孔２５ａが形成されていて、加圧子用ピン２９の頭部２９ｂの直径はピン挿通孔２５ａの直径よりも大きい。加圧子用ピン２９の軸部２９ａが雄ネジ筒部２５のピン挿通孔２５ａに挿通されて、加圧子用ピン２９の頭部２９ｂが雄ネジ筒部２５の先端部に係止している。雄ネジ筒部２５の中には、円柱形状の当接部材３０が挿入されている。当接部材３０の先端部が加圧子用ピン２９の頭部２９ｂに当接し、当接部材３０の基端部が調整ネジ２４のつまみ部２６の先端部に当接している。
【００１９】
このような構成によって、調整ネジ２４のつまみ部２６を回転させて雄ネジ筒部２５がワイヤ送給装置本体２７に形成された雌ネジ部２８にねじ込まれる。このとき加圧子用ピン２９は、雄ネジ筒部２５の先端部との摩擦によって回転しようとする。この結果、加圧子２３も加圧子用ピン２９の回転によって回転しようとするが、加圧子２３の下端部に溶接ワイヤ３が挿通されているので、溶接ワイヤ３によって加圧子２３の回転が妨げられる。そして調整ネジ２４のつまみ部２６を正回転又は逆回転させることによって、雄ネジ筒部２５が雌ネジ部に対して上下して加圧子２３を上下させることができる。その他の機能については、図３に示した従来技術の溶接ワイヤ送給装置１の同機能に同符号を付して、説明を省略する。
【００２０】
以下、動作を説明する。溶接作業者は、溶接を行う前の準備作業として、第１の加圧ハンドル１６ａ及び第２の加圧ハンドル１６ｂを下方へ傾倒させて、第１の加圧ハンドル１６ａ及び第２の加圧ハンドル１６ｂと、第１の加圧ホルダ１４ａの第１のレバー部１５ａ及び第２の加圧ホルダ１４ｂの第２のレバー部１５ｂとの引っ掛かりをそれぞれ外す。これによって、第１の加圧ホルダ１４ａに支持された第１の加圧ロール１３ａ及び第２の加圧ホルダ１４ｂに支持された第２の加圧ロール１３ｂが第１の送給ロール１１ａ及び第２の送給ロール１１ｂから離れる方向へそれぞれ押し上げられる。この状態で、ワイヤリール（図示を省略）から送り出された溶接ワイヤ３をインレットガイド１８に挿通させて、溶接ワイヤ３をワイヤ矯正機構２２の加圧子２３の下端部に当接させたのちに、溶接ワイヤ３をアウトレットガイド１９に挿通させる。
【００２１】
そして、溶接作業者は、第１の加圧ホルダ１４ａの第１のレバー部１５ａと第２の加圧ホルダ１４ｂの第２のレバー部１５ｂとをそれぞれ押し下げて、第１のレバー部１５ａ及び第２のレバー部１５ｂに、第１の加圧ハンドル１６ａ及び第２の加圧ハンドル１６ｂをそれぞれ引っ掛ける。そして、ワイヤ矯正機構２２の調整ネジ２４のつまみ部２６を回転させて、所定の加圧力で加圧子２３が溶接ワイヤ３を加圧することができるように調整する。このとき、第１の送給ロール１１ａと第１の加圧ロール１３ａとの間に挟まれた溶接ワイヤ３の位置と、第２の送給ロール１１ｂと第２の加圧ロール１３ｂとの間に挟まれた溶接ワイヤ３の位置とが結ぶ直線よりも加圧子２３によって押圧される溶接ワイヤ３の位置が下にあることによって、溶接ワイヤ３を矯正することができる。
【００２２】
そして、溶接作業者は、溶接トーチ（図示を省略）に設けられた起動スイッチをＯＮさせると、モータ（図示を省略）によって、第１の送給ロール１１ａ及び第２の送給ロール１１ｂが回転して、第１の送給ロール１１ａ及び第２の送給ロール１１ｂと第２の加圧ロール１３ａ及び第２の加圧ロール１３ｂとによって、溶接ワイヤ３がそれぞれ挟まれて送り出される。溶接ワイヤ３が、第１の送給ロール１１ａと第１の加圧ロール１３ａとの間で挟まれた点と、加圧子２３の下端部に摺接されて加圧される点と、第２の送給ロール１１ｂと第２の加圧ロール１３ｂとの間に挟まれた点とによって、溶接ワイヤ３が矯正されて曲り癖が取り除かれる。アウトレットガイド１９から送り出された溶接ワイヤ３が、パワーケーブル（図示を省略）によって溶接トーチ（図示を省略）までガイドされる。
【００２３】
この結果、本発明の溶接ワイヤ送給装置は、以下の効果を奏する。図３に示した従来技術の溶接ワイヤ送給装置１は、ワイヤ矯正器２とワイヤ送給器８とに溶接ワイヤ３を挿通させる必要があり、作業性が悪かった。これに対して本発明の溶接ワイヤ送給装置２１は、従来技術の溶接ワイヤ送給装置１のワイヤ矯正器２とワイヤ送給器８のセンターガイド１７とを共通化することができるので、溶接ワイヤ３を挿通する作業を簡略化することができる。
【００２４】
さらに、本発明の溶接ワイヤ送給装置２１は、従来技術の溶接ワイヤ送給装置１のワイヤ矯正器２とワイヤ送給器８のセンターガイド１７とを共通化することができるので、溶接ワイヤ送給装置２１を小型化することができる。一方、溶接ワイヤ３の矯正は、溶接ワイヤ３の材質が鉄のときは必要ではなく、アルミニウムやステンレス等のときに必要となる。そのため、従来技術の溶接ワイヤ送給装置１は、溶接ワイヤ３の材質が鉄のときは不必要なワイヤ矯正器２の部品点数が増え、コストアップにつながっていた。これに対して、本発明の溶接ワイヤ送給装置２１は、従来技術のワイヤ矯正器２の第１の受けロール４及び第２の受けロール５と、これらを取り付ける本体も省略することができ部品点数を削減することができるので、軽量化を図ることができ、コストダウンを図ることができる。
【００２５】
さらに、従来技術の溶接ワイヤ送給装置１は、大型化していたので、ワイヤ矯正器２の第１の受けロール４と第２の受けロール５との間の距離を長くすることができなかった。そのために、従来技術の溶接ワイヤ送給装置１は、押し上げ機７を調整して矯正ロール６の位置をわずかに変化させるだけで、ワイヤ矯正器２による溶接ワイヤ３の矯正の程度が大きく変化するために、押し上げ機７の調整が困難であった。これに対して、本発明の溶接ワイヤ送給装置２１は、第１の送給ロール１１ａと第１の加圧ロール１３ａとの間に挟まれた溶接ワイヤ３の位置と、第２の送給ロール１１ｂと第２の加圧ロール１３ｂとの間に挟まれた溶接ワイヤ３の位置との間の距離を長くすることができるので、溶接ワイヤ３の矯正の調整の精度を向上させることができる。
【符号の説明】
【００２６】
１            溶接ワイヤ送給装置
２            ワイヤ矯正器
３            溶接ワイヤ
４            第１の受けロール
５            第２の受けロール
６            矯正ロール
７            押し上げ機
８            ワイヤ送給器
９            ワイヤ送給器本体
１０            駆動ギヤー
１１ａ            第１の送給ロール
１１ｂ            第２の送給ロール
１２ａ            第１のギヤー
１２ｂ            第２のギヤー
１３            アウトレットガイド
１３ａ            第１の加圧ロール
１３ｂ            第２の加圧ロール
１４ａ            第１の加圧ホルダ
１４ｂ            第２の加圧ホルダ
１５ａ            第１のレバー部
１５ｂ            第２のレバー部
１６ａ            第１の加圧ハンドル
１６ｂ            第２の加圧ハンドル
１７            センターガイド
１８            インレットガイド
１９            アウトレットガイド
２１            溶接ワイヤ送給装置
２２            ワイヤ矯正機構
２３            加圧子
２３ａ            加圧子の溝
２４            調整ネジ
２５            雄ネジ筒部
２５ａ            雄ネジ筒部のピン挿通孔
２６            つまみ部
２７            ワイヤ送給装置本体
２８            雌ネジ部
２９            加圧子用ピン
２９ａ            加圧子用ピンの軸部
２９ｂ            加圧子用ピンの頭部
３０            当接部材
【図１】
2015058453.tif 000003
【図２】
2015058453.tif 000004
【図３】
2015058453.tif 000005